(57)【要約】【課題】従来の入退場管理システムでは、入室者の体重の変化に合わせ、登録された体重情報を更新しなければならず、更新に時間や労力を費やす必要があるいう課題があった。【解決手段】第一重量測定部２１が測定した入場者についての重量を取得する第一重量取得部２３、第一重量取得部２３が取得した重量を蓄積する重量蓄積部２４、第二重量測定部２２が測定した退場者についての重量を取得する第二重量取得部２５、重量蓄積部２４が蓄積した重量と第二重量取得部２５が取得した重量が所定の関係を満たすか否かを判断する判断部２６、及び判断部２６が所定の関係を満たすとの判断の場合のみ、退場の許可を指示する制御部２７を具備する重量管理装置２０３と、制御部２７からの退場の許可の指示に基づきドアを開く制御を行うドア開閉装置２０４を備えた。【選択図】図２
2006252396.tif 000002
【特許請求の範囲】
【請求項１】
第一重量測定器と重量管理装置と第二重量測定器とドア開閉装置を具備する入退場管理システムであって、
前記第一重量測定器は、
入場者についての重量を測定する第一重量測定部を具備し、
前記第二重量測定器は、
退場者についての重量を測定する第二重量測定部を具備し、
前記重量管理装置は、
前記第一重量測定部が測定した重量を取得する第一重量取得部と、
前記第一重量取得部が取得した重量を蓄積する重量蓄積部と、
前記第二重量測定部が測定した重量を取得する第二重量取得部と、
前記重量蓄積部が蓄積した重量と、前記第二重量取得部が取得した重量が所定の関係を満たすか否かを判断する判断部と、
前記判断部が所定の関係を満たすとの判断の場合のみ、前記ドア開閉装置に対して退場の許可を指示する制御部を具備し、
前記ドア開閉装置は、
前記退場の許可の指示を取得する指示取得部と、
前記指示取得部が退場の許可の指示を取得した場合に、ドアを開く制御を行うドア制御部を具備する入退場管理システム。
【請求項２】
前記入場者についての重量または前記退場者についての重量は、入場者または退場者の体重と、入場者または退場者が保持している荷物の重量の和である請求項１記載の入退場管理システム。
【請求項３】
前記重量管理装置は、
入場者が荷物を放置する場合または退場者が荷物を持ち帰る場合に、減少または増加する重量についての情報である増減情報を受け付ける増減情報受付部をさらに具備し、
前記判断部は、
前記増減情報と前記重量蓄積部が蓄積した重量と前記第二重量取得部が取得した重量に基づいて所定の関係を満たすか否かを判断する請求項２記載の入退場管理システム。
【請求項４】
前記重量管理装置は、
強制的にドアを開く指示である強制指示を受け付ける強制指示受付部をさらに具備し、
前記ドア制御部は、
前記強制指示受付部が強制指示を受け付けた場合にも前記ドア開閉装置に対して退場の許可を指示する請求項１から請求項３いずれか記載の入退場管理システム。
【請求項５】
前記入退場管理システムは、警報装置をさらに具備し、
前記重量管理装置における前記制御部は、
前記判断部が所定の関係を満たさないと判断した場合に、前記警報装置に警報についての情報である警報情報を出力する指示をし、
前記警報装置は、
前記警報情報の出力指示を受け付ける出力指示受付部と、
前記出力指示受付部が警報情報の出力指示を受け付けた場合に、警報情報を出力する警報出力部を具備する請求項１から請求項４いずれか記載の入退場管理システム。
【請求項６】
前記入退場管理システムは、監視カメラをさらに具備し、
前記重量管理装置における前記制御部は、
前記判断部が所定の関係を満たさないと判断した場合に、前記監視カメラに作動する指示
をし、
前記監視カメラは、
前記作動指示を受け付ける作動指示受付部と、
前記作動指示受付部が作動指示を受け付けた場合に、作動を開始して映像の撮影を開始する撮影部を具備する請求項１から請求項４いずれか記載の入退場管理システム。
【請求項７】
前記入退場管理システムは、本人認証データ読取装置と本人認証装置をさらに具備し、
前記本人認証データ読取装置は、
入場者または退場者の認証のための情報である認証情報を受け付ける認証情報受付部と、前記認証情報を前記本人認証装置に送信する認証情報送信部を具備し、
前記本人認証装置は、
前記認証情報を前記本人認証データ読取装置から受信する認証情報受信部と、
前記認証情報受信部が受信した前記認証情報に基づいて認証を行う認証部と、
前記認証情報の全部または一部である個人特定情報を前記重量管理装置に送信する個人特定情報送信部を具備し、
前記重量管理装置は、
入場の際に前記個人特定情報を受信する第一個人特定情報受信部と、
退場の際に前記個人特定情報を受信する第二個人特定情報受信部をさらに具備し、
前記重量蓄積部は、
前記第一重量取得部が取得した重量と前記個人特定情報を対にして蓄積し、
前記第二重量取得部は、
前記第二個人特定情報受信部が受信した個人特定情報に対応する、前記第二重量測定部が測定した重量を取得し、
前記判断部は、
前記第二個人特定情報受信部が受信した個人特定情報に対応し、かつ前記重量蓄積部が蓄積した重量を取得し、当該取得した重量と前記第二重量取得部が取得した重量に基づいて、所定の関係を満たすか否かを判断する請求項１から請求項６いずれか記載の入退場管理システム。
【請求項８】
前記入退場管理システムは、第一本人認証データ読取装置と第一本人認証装置と第二本人認証データ読取装置と第二本人認証装置をさらに具備し、
前記第一本人認証データ読取装置は、
入場者の認証のための情報である認証情報を受け付ける第一認証情報受付部と、
前記認証情報を前記第一本人認証装置に送信する第一認証情報送信部を具備し、
前記第一本人認証装置は、
前記第一認証情報を前記第一本人認証データ読取装置から受信する第一認証情報受信部と、
前記第一認証情報受信部が受信した前記認証情報に基づいて認証を行う第一認証部と、
前記認証情報の全部または一部である個人特定情報を前記重量管理装置に送信する第一個人特定情報送信部を具備し、
前記第二本人認証データ読取装置は、
退場者の認証のための情報である認証情報を受け付ける第二認証情報受付部と、
前記認証情報を前記第二本人認証装置に送信する第二認証情報送信部を具備し、
前記第二本人認証装置は、
前記第二認証情報を前記第二本人認証データ読取装置から受信する第二認証情報受信部と、
前記第二認証情報受信部が受信した前記認証情報に基づいて認証を行う第二認証部と、
前記認証情報の全部または一部である個人特定情報を前記重量管理装置に送信する第二個人特定情報送信部を具備し、
前記重量管理装置は、
入場の際に前記第一個人特定情報送信部が送信した個人特定情報を受信する第一個人特定情報受信部と、
退場の際に前記第二個人特定情報送信部が送信した個人特定情報を受信する第二個人特定情報受信部をさらに具備し、
前記重量蓄積部は、
前記第一重量取得部が取得した重量と前記第一個人特定情報受信部が受信した個人特定情報を対にして蓄積し、
前記第二重量取得部は、
前記第二個人特定情報受信部が受信した個人特定情報に対応する、前記第二重量測定部が測定した重量を取得し、
前記判断部は、
前記第二個人特定情報受信部が受信した個人特定情報に対応した、前記第一個人特定情報受信部が受信した個人特定情報と対にして前記重量蓄積部が蓄積した重量を取得し、当該取得した重量と前記第二重量取得部が取得した重量に基づいて、所定の関係を満たすか否かを判断する請求項１から請求項６いずれか記載の入退場管理システム。
【請求項９】
入場者についての重量を測定するステップと、
前記測定された入場者についての重量を蓄積するステップと、
退場者についての重量を測定するステップと、
前記蓄積された入場者についての重量と、前記測定された退場者についての重量が所定の関係を満たすか否かを判断するステップと、
前記蓄積された入場者についての重量と、前記取得された退場者についての重量が所定の関係を満たすとの判断の場合のみ、退場の許可を指示するステップと、
前記退場の許可の指示に応じて、ドアを開く制御を行うステップとを具備する入退場管理方法。
【請求項１０】
コンピュータに、
入場者についての重量を取得するステップと、
前記取得された入場者についての重量を蓄積するステップと、
退場者についての重量を取得するステップと、
前記蓄積された入場者についての重量と、前記取得された退場者についての重量が所定の関係を満たすか否かを判断するステップと、
前記蓄積された入場者についての重量と、前記取得された退場者についての重量が所定の関係を満たすとの判断の場合のみ、退場の許可を指示するステップとを実行させるためのプログラム。
【請求項１１】
コンピュータに、
入場者についての個人特定情報を取得するステップと、
入場者についての重量を取得するステップと、
前記取得された入場者についての重量と入場者についての個人特定情報とを対にして蓄積するステップと、
退場者についての個人特定情報を取得するステップと、
退場者についての重量を取得するステップと、
前記取得された退場者についての個人特定情報に対応した、前記入場者についての個人特定情報と、対にして蓄積された前記入場者についての重量を取得し、当該取得した入場者についての重量と前記取得された退場者についての重量が所定の関係を満たすか否かを判断するステップと、
前記蓄積された入場者についての重量と、前記取得された退場者についての重量が所定の関係を満たすとの判断の場合のみ、退場の許可を指示するステップとを実行させるためのプログラム。
【発明の詳細な説明】
【技術分野】
【０００１】
本発明は、機密性の担保が要求される区域への入場者及び退場者の入退場を管理するための入退場管理システム等に関する。
【背景技術】
【０００２】
従来、建物や部屋への入退場を管理するためのシステムとして、入場者、または退場者の体重測定を行い、この測定結果に基づいて、入退場者の入退場を許可すべきか否かを判定するものがある（例えば、特許文献１−３参照）。
【０００３】
特許文献３には、特定の区域の入口に設けられた体重測定ゾーンにおいて測定された入室者あるいは退室者の体重測定結果と、入室前に予め記憶手段に登録され、ＩＤ情報により呼び出される入室者あるいは退室者の体重情報とを比較して、測定結果と登録体重との偏差が所定の範囲内であれば、体重測定ゾーンの退室側扉の錠を開錠して、特定の区域への入出を許可するものが開示されている。
【特許文献１】特開平３−２６２８８４号公報（第２頁、第１図）
【特許文献２】特開平４−２４３８１号公報（第４頁、第３図）
【特許文献３】特開平６−３４８９７４号公報（第２−３頁、第１図）
【発明の開示】
【発明が解決しようとする課題】
【０００４】
しかし、上記従来技術によれば、入室前に予め記憶手段等に登録されている入室者の体重情報と、入室時における入室者の体重測定の結果とを比較する構成となっている。このため、体重測定時から長い時間が経過して入室者の体重が大きく増減した場合、入室前に登録されている体重情報と入室時の体重の測定結果との偏差が、所定の範囲外となり、入室あるいは退室できなくなってしまう。従って、入室者の体重の大きな変化に合わせて、登録されている体重情報を更新しなければならず、更新処理に時間や労力を費やす必要があるいう課題があった。
【０００５】
また、入室者が、荷物等を持ち込もうとする場合、入室時に測定される入室者と荷物とを合わせた重量と、入室前に登録されている入室者のみの体重情報とを比較することとなるため、持ち込もうとする荷物の重量によっては、測定結果と登録されている体重情報との偏差が、所定の範囲外となり、入室できなくなってしまう。従って、荷物の重量によっては、荷物の持込ができないという課題があった。
【課題を解決するための手段】
【０００６】
本発明に係る入退場管理システムは、第一重量測定器と重量管理装置と第二重量測定器とドア開閉装置を具備する入退場管理システムであって、前記第一重量測定器は、入場者についての重量を測定する第一重量測定部を具備し、前記第二重量測定器は、退場者についての重量を測定する第二重量測定部を具備し、前記重量管理装置は、前記第一重量測定部が測定した重量を取得する第一重量取得部と、前記第一重量取得部が取得した重量を蓄積する重量蓄積部と、前記第二重量測定部が測定した重量を取得する第二重量取得部と、前記重量蓄積部が蓄積した重量と、前記第二重量取得部が取得した重量が所定の関係を満たすか否かを判断する判断部と、前記判断部が所定の関係を満たすとの判断の場合のみ、前記ドア開閉装置に対して退場の許可を指示する制御部を具備し、前記ドア開閉装置は、前記退場の許可の指示を取得する指示取得部と、前記指示取得部が退場の許可の指示を取得した場合に、ドアを開く制御を行うドア制御部を具備するものである。
【０００７】
かかる構成により、入場前に予め入場者の体重を登録しておく必要がない。そのため、入場者の体重の変化に応じて登録された重量を更新する必要がなく、更新処理に費やされる時間や労力を削減することができる。また、荷物の持込みおよび持ち出しを考慮したセキュリティ管理が可能となる。
【０００８】
本発明に係る入退場管理システムは、前記入退場管理システムにおいて、本人認証データ読取装置と本人認証装置をさらに具備し、前記本人認証データ読取装置は、入場者または退場者の認証のための情報である認証情報を受け付ける認証情報受付部と、前記認証情報を前記本人認証装置に送信する認証情報送信部を具備し、前記本人認証装置は、前記認証情報を前記本人認証データ読取装置から受信する認証情報受信部と、前記認証情報受信部が受信した前記認証情報に基づいて認証を行う認証部と、前記認証情報の全部または一部である個人特定情報を前記重量管理装置に送信する個人特定情報送信部を具備し、前記重量管理装置は、入場の際に前記個人特定情報を受信する第一個人特定情報受信部と、退場の際に前記個人特定情報を受信する第二個人特定情報受信部をさらに具備し、前記重量蓄積部は、前記第一重量取得部が取得した重量と前記個人特定情報を対にして蓄積し、前記第二重量取得部は、前記第二個人特定情報受信部が受信した個人特定情報に対応する、前記第二重量測定部が測定した重量を取得し、前記判断部は、前記第二個人特定情報受信部が受信した個人特定情報に対応し、かつ前記重量蓄積部が蓄積した重量を取得し、当該取得した重量と前記第二重量取得部が取得した重量に基づいて、所定の関係を満たすか否かを判断するものである。
【０００９】
かかる構成により、入場者の体重の変化に応じて登録された重量を更新する必要がなく、更新処理に費やされる時間や労力を削減することができる。また、荷物の持込みおよび持ち出しを考慮したセキュリティ管理が可能となる。さらに、区域内に複数の人がいる場合においても、入退場を管理することができる。
【００１０】
また、本発明に係る入退場管理システムは、前記入退場管理システムにおいて、第一本人認証データ読取装置と第一本人認証装置と第二本人認証データ読取装置と第二本人認証装置をさらに具備し、前記第一本人認証データ読取装置は、入場者の認証のための情報である認証情報を受け付ける第一認証情報受付部と、前記認証情報を前記第一本人認証装置に送信する第一認証情報送信部を具備し、前記第一本人認証装置は、前記第一認証情報を前記第一本人認証データ読取装置から受信する第一認証情報受信部と、前記第一認証情報受信部が受信した前記認証情報に基づいて認証を行う第一認証部と、前記認証情報の全部または一部である個人特定情報を前記重量管理装置に送信する第一個人特定情報送信部を具備し、前記第二本人認証データ読取装置は、退場者の認証のための情報である認証情報を受け付ける第二認証情報受付部と、前記認証情報を前記第二本人認証装置に送信する第二認証情報送信部を具備し、前記第二本人認証装置は、前記第二認証情報を前記第二本人認証データ読取装置から受信する第二認証情報受信部と、前記第二認証情報受信部が受信した前記認証情報に基づいて認証を行う第二認証部と、前記認証情報の全部または一部である個人特定情報を前記重量管理装置に送信する第二個人特定情報送信部を具備し、前記重量管理装置は、入場の際に前記第一個人特定情報送信部が送信した個人特定情報を受信する第一個人特定情報受信部と、退場の際に前記第二個人特定情報送信部が送信した個人特定情報を受信する第二個人特定情報受信部をさらに具備し、前記重量蓄積部は、前記第一重量取得部が取得した重量と前記第一個人特定情報受信部が受信した個人特定情報を対にして蓄積し、前記第二重量取得部は、前記第二個人特定情報受信部が受信した個人特定情報に対応する、前記第二重量測定部が測定した重量を取得し、前記判断部は、前記第二個人特定情報受信部が受信した個人特定情報に対応した、前記第一個人特定情報受信部が受信した個人特定情報と対にして前記重量蓄積部が蓄積した重量を取得し、当該取得した重量と前記第二重量取得部が取得した重量に基づいて、所定の関係を満たすか否かを判断するものである。
【００１１】
かかる構成により、入場者の体重の変化に応じて登録された重量を更新する必要がなく、更新処理に費やされる時間や労力を削減することができる。また、荷物の持込みおよび持ち出しを考慮したセキュリティ管理が可能となる。さらに、区域内に複数の人がいる場合においても、入退場を管理することができる。また、第一本人認証データ読取装置及び第一本人認証装置と、第二本人認証データ読取装置及び第二本人認証装置を、異なる場所に設置することが可能となり、設計の自由度を向上させることができる。
【発明の効果】
【００１２】
入退場者の体重の変化に合わせた登録情報の更新が不要となり、更新処理に費やされる労力や時間を削減できる。
【発明を実施するための最良の形態】
【００１３】
以下、入退場管理システム等の実施形態について図面を参照して説明する。なお、実施の形態において同じ符号を付した構成要素は同様の動作を行うので、再度の説明を省略する場合がある。
【００１４】
（実施の形態１）
図１は本発明の実施の形態１に係る入退場管理システムのハードウェア構成を示す図である。この入退場管理システムは、第一重量測定器２０１、第二重量測定器２０２、重量管理装置２０３、ドア開閉装置２０４、警報装置２０５、監視カメラ２０６、本人認証データ読取装置２０７、及び本人認証装置２０８を有している。
この入退場管理システムは、建物や部屋等の区域１００の入出口に設けられた入退場管理室１０１に配置されている。
入退場管理室１０１の、区域１００の外側の部分には、ドア１０２が設けられている。
入退場管理室１０１の、区域１００の内側の部分には、ドア１０３が設けられている。
【００１５】
ドア１０２、１０３は、施錠されており、ドア開閉装置２０４の制御により開錠し、自動で開閉する。また、ドア１０２、１０３は入退場管理室１０１の外側からのみ手動で開錠し、開閉可能となっている。
本人認証データ読取装置２０７及び本人認証装置２０８は、入退場管理室１０１内に配置されている。
【００１６】
図２は本発明の実施の形態１に係る入退場管理システムのブロック図である。この入退場管理システムは、第一重量測定器２０１、第２重量測定器２０２、重量管理装置２０３、ドア開閉装置２０４、警報装置２０５、監視カメラ２０６、本人認証データ読取装置２０７、及び本人認証装置２０８を有している。
【００１７】
第一重量測定器２０１は、第一重量測定部２１を有している。第一重量測定部２１は、入場者についての重量を測定する。入場者についての重量とは、例えば、入場者の体重のみ、あるいは入場者の体重と入場者が保持している荷物等との重量の和である。第一重量測定部２１は、測定結果を出力するための通信手段等を備えた、体重計等の重量計で実現され得る。
【００１８】
第二重量測定器２０２は、第二重量測定部２２を有している。第二重量測定部２２は、退場者についての重量を測定する。退場者についての重量とは、例えば、退場者の体重のみ、あるいは退場者の体重と退場者が保持している荷物等との重量の和である。第二重量測定部２２は、測定結果を出力するための通信手段等を備えた、体重計等の重量計で実現され得る。
【００１９】
なお、本実施の形態においては、第一重量測定器２０１及び第二重量測定器２０２が同一のハードウェアを共用するようにし、入場者についての重量を測定する際は、第一重量測定器２０１として動作し、退場者についての重量を測定する際は、第二重量測定器２０２として動作するようにしてもよい。例えば、このような動作の切り替えは、図示しないスイッチ等により切り替え指示を与えることで行うようにしてもよい。
【００２０】
本人認証データ読取装置２０７は、認証情報受付部３６と、認証情報送信部３７とを有している。
認証情報受付部３６は、入場者及び退場者から入力される、入場者及び退場者の認証のための情報である認証情報を受け付ける。認証情報のデータ構造は問わない。認証情報の具体例としては、個人ＩＤ及びパスワード等が挙げられる。認証情報受付部３６の受け付ける入力は、テンキーやキーボードやマウスによる入力や、ＩＣ（ｉｎｔｅｇｒａｔｅｄ
ｃｉｒｃｕｉｔ）カードリーダを介したＩＣカードによる入力や、ＩＲ（ｉｎｆｒａ  ｒｅｄ）タグリーダを介したＩＲタグによる入力や、メニュー画面による入力等であり、入力手段はどのようなものであってもよい。認証情報受付部３６は、テンキーやキーボードやＩＣカードリーダやＩＲタグリーダ等のデバイスドライバや、メニュー画面の制御ソフトウェア等で実現され得る。
【００２１】
認証情報送信部３７は、認証情報受付部３６が受け付けた認証情報を本人認証装置２０８に送信する。認証情報送信部３７は、無線または有線の通信手段、または放送手段により実現され得る。
【００２２】
本人認証装置２０８は、認証情報受信部３８と、認証部３９と、個人特定情報送信部４０とを有している。
認証情報受信部３８は、認証情報を本人認証データ読取装置２０７から受信する。認証情報受信部３８は、無線または有線の通信手段、または放送手段により実現され得る。
【００２３】
認証部３９は、認証情報受信部３８が受信した認証情報に基づいて認証を行う。認証部３９は、ＭＰＵ（ｍｉｃｒｏ  ｐｒｏｃｅｓｓｉｎｇ  ｕｎｉｔ）及びメモリ等により構成される。
【００２４】
個人特定情報送信部４０は、認証情報の全部または一部である個人特定情報を重量管理装置２０３に送信する。個人特定情報とは、個人を特定可能な情報で、認証情報全部であってもよいし、例えば認証情報が、名前や、社員番号等をその一部として含んでいる場合、認証情報の一部である名前や、社員番号等を個人特定情報としてもよい。個人特定情報のデータ構造は問わない。個人特定情報送信部４０は、無線または有線の通信手段、または放送手段により実現され得る。
【００２５】
重量管理装置２０３は、第一重量取得部２３と、重量蓄積部２４と、第２重量取得部２５と、判断部２６と、制御部２７と、増減情報受付部３０と、強制指示受付部３１と、第一個人特定情報受信部４１と、第二個人特定情報受信部４２とを有している。
【００２６】
第一個人特定情報受信部４１は、本人認証装置２０８が送信する個人特定情報を入場の際に受信する。第一個人特定情報受信部４１は、無線または有線の通信手段、または放送手段により実現され得る。
【００２７】
第二個人特定情報受信部４２は、本人認証装置２０８が送信する個人特定情報を退場の際に受信する。第二個人特定情報受信部４２は、無線または有線の通信手段、または放送手段により実現され得る。
【００２８】
第一重量取得部２３は、第一重量測定部２１が測定した重量を取得する。この重量の取得は、通常、通信により行われる。第一重量取得部２３は、無線または有線の通信手段、または放送手段により実現され得る。
【００２９】
重量蓄積部２４は、第一重量取得部２３が取得した重量と、第一個人特定情報受信部４１が受信した個人特定情報とを対にして蓄積する。重量蓄積部２４は、例えば、ＭＰＵ及び揮発性または不揮発性のメモリ等により実現され、重量と個人特定情報とはこのメモリ等に蓄積される。
【００３０】
第二重量取得部２５は、第二個人特定情報受信部４２が受信した個人特定情報に対応する、第二重量測定部２２が測定した重量を取得する。この重量の取得は、通常、通信により行われる。第二重量取得部２５は、無線または有線の通信手段、または放送手段により実現され得る。
【００３１】
増減情報受付部３０は、退場者が入場時に持ち込んだ荷物を放置して退場する場合、または退場者が入場する前から区域１００内に配置されていた荷物を持ち帰る場合に、外部からの、例えば、退場者の情報端末等からの、減少または増加する重量についての情報である増減情報を受け付ける。増減情報は、放置または持ち帰る荷物の重量、即ち入場時に対して増減する重量についての情報である。増減情報のデータ構造は問わない。増減情報受付部３０に退場者が入力する増減情報は、物品の名称及び重量であってもよいし、物品に予め設定された管理番号等の管理情報であってもよい。物品の名称及び重量を増減情報として用いる場合、例えば、物品に予め重量等を記載しておくようにする。管理情報を増減情報として用いる場合には、管理情報と物品の重量との関係を必要に応じて参照できるようメモリ等に登録しておく。増減情報受付部３０の受け付ける入力は、退場者からのテンキーやキーボードやマウスやメニュー画面による入力等や、他の装置からの通信による入力等であり、入力手段はどのようなものであってもよい。増減情報受付部３０は、テンキーやキーボード等の入力手段のデバイスドライバや、メニュー画面の制御ソフトウェア、有線または無線の通信手段、または放送手段等で実現され得る。
【００３２】
判断部２６は、第二個人特定情報受信部４２が受信した個人特定情報に対応する、重量蓄積部２４が蓄積した重量と、第二重量取得部２５が取得した重量とが所定の関係を満たすか否かを判断する。この所定の関係は、判断前に設定された関係であればどのような関係であってもよい。例えば、重量蓄積部２４が蓄積した重量と、第二重量取得部２５が取得した重量を増減情報受付部３０が受け付けた増減情報により補正した値との差が、予め設定した一定の許容範囲内にあるか否かを判断するようにする。この許容範囲は、例えば、第一重量測定部２１、第二重量測定部２２における重量測定時の誤差や、入退場者の、発汗や、水分補給等による少量の体重の増減を考慮して決定する。判断部２６は、ＭＰＵ及びメモリ等により実現され得る。
【００３３】
この判断部２６における増減情報による補正は、放置あるいは持ち帰る荷物による、退出者についての重量の変化を補うよう、重量蓄積部２４が蓄積した重量、または第二重量取得部２５が取得した重量を放置あるいは持ち帰る荷物の重量で加減算することで行われる。例えば、増減情報として、ある重量の荷物を放置することを示す情報を増減情報受付部３０が受け付けた場合、この荷物の重量を、重量蓄積部２４が蓄積した重量から減算、あるいは第二重量取得部２５が取得した重量に加算する補正が行われる。
【００３４】
強制指示受付部３１は、退場者からの、強制的にドアを開く指示である強制指示を受け付ける。強制指示のデータ構造は問わない。強制指示受付部３１の受け付ける入力は、テンキーやキーボードやマウスやメニュー画面による入力等で、入力手段はどのようなものであってもよい。強制指示受付部３１は、テンキーやキーボード等の入力手段のデバイス
ドライバや、メニュー画面の制御ソフトウェア等で実現され得る。
【００３５】
制御部２７は、判断部２６が所定の関係を満たすと判断した場合、及び強制指示受付部３１が、強制指示を受け付けた場合にのみ、ドア開閉装置２０４に対して退場の許可を指示する。退場を許可する指示のデータ構造は問わない。また、判断部２６が所定の関係を満たさないと判断した場合に、警報装置２０５に警報についての情報である警報情報を出力する指示を出す。警報情報を出力する指示のデータ構造は問わない。また、監視カメラ２０６に作動する指示を出す。この指示のデータ構造は問わない。また、重量蓄積部２４が第一重量測定部２１から取得した重量を蓄積した場合、ドア開閉装置２０４に対して入場の許可を指示する。入場を許可する指示のデータ構造は問わない。制御部２７は、ＭＰＵ及びメモリ等により実現される。
ドア開閉装置２０４は、指示取得部２８と、ドア制御部２９とを有している。
【００３６】
指示取得部２８は、制御部２７から退場の許可の指示を取得する。この指示の取得は、通常、通信により行われる。指示取得部２８は、無線または有線の通信手段、または放送手段により実現され得る。
【００３７】
ドア制御部２９は、指示取得部２８が退場の許可の指示を取得した場合に、ドア１０２を開く制御を行う。また、指示取得部２８が入場の許可の指示を取得した場合に、ドア１０３を開く制御を行う。ドア制御部２９によるドア１０２，１０３の制御は、通常、通信を介して行われる。ドア制御部２９は、ＭＰＵ及びメモリや、無線または有線の通信手段、または放送手段等により実現される。
警報装置２０５は、出力指示受付部３２と、警報出力部３３とを有している。
出力指示受付部３２は、制御部２７からの警報情報の出力指示を受け付ける。
【００３８】
警報出力部３３は、出力指示受付部３２が警報情報の出力指示を受け付けた場合に、警報情報を出力する。警報情報は、異常な入退場が行われたことを示す警報を、ブザー音等の音声により出力したり、ディスプレイ等に文字情報等で表示させたりするための情報であり、そのデータ構造等は問わない。警報出力部３３は、ディスプレイやスピーカーやブザー等の出力デバイスを含むと考えても含まないと考えてもよい。警報出力部３３は、出力デバイスのドライバソフト、または出力デバイスのドライバソフトと出力デバイス等で実現され得る。
監視カメラ２０６は、作動指示受付部３４と、撮影部３５とを備えている。
作動指示受付部３４は、制御部２７からの作動指示を受け付ける。作動指示受付部３４は、無線または有線の通信手段、または放送手段により実現され得る。
【００３９】
撮影部３５は、作動指示受付部３４が作動指示を受け付けた場合に、映像の撮影を開始する。撮影する映像は、動画像、あるいは一定時間ごとに更新される静止画像等である。撮影した映像情報は、外部のディスプレイやビデオ等の録画装置に送信され、表示、あるいは録画される。撮影部３５は、ＣＣＤ等の撮像素子を備えたカメラ等により実現されうる。
【００４０】
以下、本入退場管理システムの動作について説明する。まず、第一重量測定器２０１の動作について、図３のフローチャートを用いて説明する。
（ステップＳ３０１）第一重量測定部２１は、測定対象があるか否かを判定する。測定対象は、ここでは入場者、または入場者と入場者が保持している荷物等である。測定対象がある場合、ステップＳ３０２に進み、ない場合、ステップＳ３０１に戻る。
【００４１】
（ステップＳ３０２）第一重量測定部２１は、入場者についての重量を測定する。例えば、入場者が荷物を保持していない場合は、入場者のみの体重を測定し、荷物を保持して
いる場合は、入場者の体重と荷物の重量との総和の重量を測定する。
（ステップＳ３０３）第一重量測定部２１は、測定結果である入場者についての重量を出力する。この出力は、主として重量管理装置２０３への送信である。
【００４２】
次に、第二重量測定器２０２の動作について、図４のフローチャートを用いて説明する。
（ステップＳ４０１）第二重量測定部２２は、測定対象があるか否かを判定する。測定対象は、ここでは退場者、または退場者と退場者が保持している荷物等である。測定対象がある場合、ステップＳ４０２に進み、ない場合、ステップＳ４０１に戻る。
【００４３】
（ステップＳ４０２）第二重量測定部２２は、退場者についての重量を測定する。例えば、退場者が荷物を保持していない場合は、退場者のみの体重を測定し、荷物を保持している場合は、退場者の体重と荷物の重量との総和の重量を測定する。
（ステップＳ４０３）第二重量測定部２２は、測定結果である退場者についての重量を出力する。この出力は、主として重量管理装置２０３への送信である。
次に、本人認証データ読取装置２０７の動作について、図５のフローチャートを用いて説明する。
【００４４】
（ステップＳ５０１）認証情報受付部３６は、外部から入場者の認証情報を受け付けたか否かを判定する。受け付けた場合、ステップＳ５０２へ進み、受け付けていない場合、ステップＳ５０１に戻る。
（ステップＳ５０２）認証情報送信部３７が、認証情報受付部３６から認証情報を取得する。
（ステップＳ５０３）認証情報送信部３７が、取得した認証情報を、本人認証装置２０８の認証情報受信部３８に対して送信する。
【００４５】
続いて、本人認証装置２０８の動作について、図６のフローチャートを用いて説明する。
（ステップＳ６０１）認証情報受信部３８は、認証情報を受信したか否かを判定する。認証情報を受信した場合、ステップＳ６０２へ進み、受信していない場合、ステップＳ６０２に戻る。
（ステップＳ６０２）認証部３９が、認証情報受信部３８から認証情報を取得する。
【００４６】
（ステップＳ６０３）認証部３９が、取得した認証情報を用いて、入場者が、本入退場管理システムにおいて管理されている区域に対する入場資格を有する本人であるかの認証を行う。入場者が認証された場合、ステップＳ６０４へ進み、認証されない場合、処理が終了する。
（ステップＳ６０４）個人特定情報送信部４０が、認証情報から個人特定情報を取得する。
【００４７】
（ステップＳ６０５）個人特定情報送信部４０が、個人特定情報を、重量管理装置２０３の第一個人特定情報受信部４１及び第二個人特定情報受信部４２に送信する。
【００４８】
次に、重量管理装置２０３の動作について、図７のフローチャートを用いて説明する。
（ステップＳ７０１）第一個人特定情報受信部４１及び第二個人特定情報受信部４２が、個人特定情報を受信したか否かを判定する。個人特定情報を受信した場合、ステップＳ７０２へ進み、受信していない場合、ステップＳ７０１に戻る。
【００４９】
（ステップＳ７０２）強制指示受付部３１は、強制的に退場のためのドアを開く指示である強制指示を受け付けたか否かを判定する。強制指示を受け付けた場合、ステップＳ７
１５へ飛び、強制指示を受け付けていない場合、ステップＳ７０３へ進む。
【００５０】
（ステップＳ７０３）第一重量取得部２３は、第一重量測定部２１が重量の測定結果を出力したか否かを判定する。測定結果が出力された場合、ステップＳ７０４へ進み、出力されていない場合、ステップＳ７０７へ進む。
（ステップＳ７０４）重量蓄積部２４が、第一重量測定部２１の測定結果である重量を取得する。
【００５１】
（ステップＳ７０５）重量蓄積部２４は、第一個人特定情報受信部４１から個人特定情報を取得し、ステップＳ７０４において取得した重量と、第一個人情報受信部４１が受信した個人特定情報とを対にして、メモリ等に蓄積する。
（ステップＳ７０６）制御部２７は、入場を許可する指示を、ドア開閉装置２０４に出力し、ステップＳ７０１に戻る。
【００５２】
（ステップＳ７０７）第二重量取得部２５は、第二重量測定部２２が重量の測定結果を出力したか否かを判定する。測定結果が出力された場合、ステップＳ７０８へ進み、されていない場合、ステップＳ７０３へ戻る。
（ステップＳ７０８）第二重量取得部２５が、第二重量測定部２２の測定結果である重量と、第二個人特定情報受信部４２が受信した個人特定情報を取得する。
【００５３】
（ステップＳ７０９）判断部２６が、重量蓄積部２４に蓄積されている個人特定情報のうちの、第二重量取得部２５の取得した個人特定情報に対応した個人特定情報を検索し、検索された個人特定情報と対に蓄積されている重量を、重量蓄積部２４から取得する。また、第二重量取得部２５が取得した重量を取得する。
【００５４】
（ステップＳ７１０）増減情報受付部３０が、増減情報を受け付けたか否かを判定する。重量増減情報を受け付けた場合、ステップＳ７１１へ進み、受け付けていない場合、ステップＳ７１２へ進む。
【００５５】
（ステップＳ７１１）判断部２６は、増減情報受付部３０が受け付けた増減情報を用いて、重量蓄積部２４から取得した重量、または第二重量取得部２５から取得した重量を補正する。
【００５６】
（ステップＳ７１２）判断部２６が、重量蓄積部２４から取得した重量、及び第二重量取得部２５から取得した重量を比較し、これらが所定の関係を満たすか否か判断する。ステップＳ７１１において、これらの重量のいずれかが補正されている場合は、その補正した重量により比較を行う。この判断の結果、これらの重量同士が所定の関係を満たすと判断された場合、ステップＳ７１５へ進む。また、所定の関係を満たさないと判断された場合、ステップＳ７１３へ進む。所定の関係を満たすか否かの判断は、例えば、重量同士の差が、予め設定された許容範囲内に収まるか否かで判断される。
（ステップＳ７１５）制御部２７が、退場を許可する指示を、ドア開閉装置２０４に出力する。
（ステップＳ７１３）制御部２７が、警報装置２０５に対し、警報についての情報である警報情報を出力する指示を出す。
（ステップＳ７１４）制御部２７が、監視カメラ２０６に作動する指示を出す。なお、ステップＳ７１３の前にステップＳ７１４を行うようにしてもよい。
【００５７】
次に、ドア制御部２０４の動作について、図８のフローチャートを用いて説明する。
（ステップＳ８０１）指示取得部２８が、重量管理装置２０３から入場を許可する指示を取得したか否かを判定する。取得した場合、ステップＳ８０３へ進み、取得していない
場合、ステップＳ８０２へ進む。
【００５８】
（ステップＳ８０３）ドア制御部２９が、指示取得部２８から入場を許可する指示を取得して、ドア１０３に対して、ドアを開く制御を行う。ドアが施錠されている場合、開錠も行う。
【００５９】
（ステップＳ８０２）指示取得部２８が、重量管理装置２０３から退場を許可する指示を取得したか否かを判定する。取得した場合、ステップＳ８０４へ進み、取得していない場合、ステップＳ８０１へ戻る。
【００６０】
（ステップＳ８０４）ドア制御部２９が、指示取得部２８から退場を許可する指示を取得して、ドア１０２に対して、ドアを開く制御を行う。ドアが施錠されている場合、開錠も行う。
【００６１】
次に、警報装置２０５の動作について、図９のフローチャートを用いて説明する。
（ステップＳ９０１）出力指示受付部３２が、重量管理装置２０３から警報情報を出力する指示を受け付けたか否かを判定する。受け付けた場合、ステップＳ９０２へ進み、受け付けていない場合、ステップＳ９０１へ戻る。
（ステップＳ９０２）警報出力部３３が、出力指示受付部３２から警報情報を出力する指示を取得する。
【００６２】
（ステップＳ９０３）警報出力部３３が、出力指示受付部３２から取得した、警報情報を出力する指示に基づき、警報情報を出力する。警報情報の出力は、例えば、所定時間経過後、終了する。なお、図示しない手段からの割り込みを受け付けるようにして、外部からの指示により、警報情報の出力を終了するようにしてもよい。
次に、監視カメラ２０６の動作について、図１０のフローチャートを用いて説明する。
【００６３】
（ステップＳ１００１）作動指示受付部３４が、重量管理装置２０３から作動指示を受け付けたか否かを判定する。受け付けた場合、ステップＳ１００２へ進み、受け付けていない場合、ステップＳ９０１へ戻る。
（ステップＳ１００２）撮影部２５が、作動指示受付部３２から警報情報を出力する指示を取得する。
【００６４】
（ステップＳ１００３）撮影部３３が、作動指示受付部３２から取得した、作動指示に基づき作動を開始し、撮影を開始する。撮影は、例えば、所定時間経過後、終了する。なお、図示しない手段からの割り込みを受け付けるようにして、外部からの指示により、撮影を終了するようにしてもよい。
【００６５】
次に、本入退場管理システムの具体例について、図１、及び図２を用いて説明する。
まず、入場者が入場する場合について説明する。入場者がドア１０２を開けて、入退場管理室１０１に入室する。そして、入場者が、認証情報が記録されているＩＣカードを本人認証データ読取装置２０７の認証情報受付部３６、例えばＩＣカードリーダに読み取らせる。読み取られた認証情報は、認証情報送信部３７から本人認証装置２０８に送信される。
【００６６】
送信された認証情報が、本人認証装置２０８の認証情報受信部３８に受信され、受信された認証情報により、認証部３９において、入場者が、区域１００に対する入場資格を有する本人であるか否かの認証が行われる。認証された場合、認証情報の一部である個人特定情報を個人特定情報送信部４０が取得し、重量管理装置２０３の第一個人特定情報受信部４１及び第二個人特定情報受信部４２に対して送信する。
図１１は個人特定情報のデータ構造を例示する図である。ここでは、認証情報が本人の名前とＩＤを含み、個人特定情報は、図１１に示すように、ＩＤである。
続いて、第一重量測定器２０１により、入場者の重量の測定を行う。荷物を保持している場合、この荷物とともに重量を測定する。
【００６７】
第一個人特定情報受信部４１及び第二個人特定情報受信部４２は、個人特定情報送信部４０から送信された個人特定情報を受信したか否か判定する。ここでは受信しているため、重量管理装置２０３の第一重量取得部２３は、第一重量測定部２１により入場者の重量が測定されているか判定する。ここでは重量が測定されているため、第一重量測定部２１による測定結果である重量を取得する。
【００６８】
重量蓄積部２４は、第一個人特定情報受信部４１が受信した個人特定情報を取得し、また、第一重量取得部２３から第一重量測定器２０１の測定結果である重量を取得し、この取得した個人特定情報と、重量とを対にしてメモリ等に蓄積する。そして、制御部２７が入場を許可する指示をドア開閉装置２０４に出力する。
【００６９】
図１２（ａ）〜（ｅ）は、重量管理装置２０３の表示部等に表示される表示内容を例示した図である。制御部２７が入場を許可する指示をドア開閉装置２０４に出力した場合、重量管理装置２０３の表示部には、図１２（ａ）に示すように、「入場可能です。」という文が、青色の文字で表示される。
【００７０】
ドア開閉装置２０４の指示取得部２８が、制御部２７からの入場を許可する指示を取得すると、ドア制御部２９は、ドア１０３を開くための制御を行う。ドア１０３はこの制御により開錠して自動で開き、入場者は区域１００内へ入場できる。
【００７１】
図１３は、重量蓄積部２４により蓄積されたデータの構造を示す図である。この蓄積されたデータは、「個人特定情報」、「氏名」、「入退場状況」、「一時退場」、「重量」、「時間」、「荷物放置」、「荷物持出し」の属性を有している。「個人特定情報」は第一個人特定情報受信部４１から取得した個人特定情報で、ここではＩＤである。「氏名」は入退場者の氏名、「入退場状況」は、区域１００へ入場中であるか、区域１００から退場したかの状態を示す。「一時退場」は、一時的に退場しているのか否かの状態を示す。「重量」は第一重量取得部２３から取得した重量である。「時間」は入場、退場、または一時退場を行ったうちのもっとも最新の時間である。「荷物放置」は、入場時に持ち込んだ荷物を退場時に区域００内に放置する場合の、放置する荷物の重量である。「荷物持出し」は、区域１００内に備えられていた荷物を退場時に持ち出す場合の、持ち出す荷物の重量である。図に示すように、個人特定情報と、重量とが対となって蓄積される。また、個人の、氏名や、入場中であるか退場中であるかの状況や、入退場の最新の時刻等も個人特定情報と関連付けられて蓄積される。これらの情報は、例えば、蓄積されてから一定の期間が経過すると削除される。
【００７２】
次に、退場する場合について説明する。まず、退場者がドア１０３を開けて、入退場管理室１０１に入室する。そして、入場者が、認証情報が記録されているＩＣカードを本人認証データ読取装置２０７の認証情報受付部３６、例えばＩＣカードリーダに読み取らせる。読み取られた認証情報は、認証情報送信部３７から本人認証装置２０８に送信される。
【００７３】
送信された認証情報が、本人認証装置２０８の認証情報受信部３８に受信され、受信された認証情報により、認証部３９において、入場者が、区域１００に対する入場資格を有する本人であるか否かの認証が行われる。認証された場合、認証情報の一部である個人特定情報を個人特定情報送信部４０が取得し、重量管理装置２０３の第一個人特定情報受信
部４１及び第二個人特定情報受信部４２に対して送信する。
【００７４】
続いて、退場者が、第二重量測定器２０２により重量の測定を行う。第一重量測定器２０１が測定結果を出力せず、第二重量測定器２０２が測定結果を出力するため、第二重量取得部２５は、第二重量測定器２０２が測定した重量を取得し、第二個人特定情報受信部４２から個人特定情報を取得する。第二重量測定器２０２により退場者の測定を行う際、入場時に荷物を保持していた場合には、この荷物とともに重量を測定する。
【００７５】
判断部２６は、第二重量取得部２５から、第二重量測定器２０２の測定結果である重量と、個人特定情報とを受信し、この個人特定情報と同じ個人特定情報を、重量蓄積部２４のメモリ等に図１３に示すような構造で蓄積されている個人特定情報の中から検索する。そして、検索の結果得られた個人特定情報と対として重量蓄積部２４のメモリ等に蓄積されている重量を取得する。
【００７６】
図１４は、判断部２６がメモリ等に格納している入場時と退場時との重量差の許容範囲を設定するデータの構造を示す図である。
判断部２６は、重量蓄積部２４から取得した重量、即ち入場時の重量と、第二重量取得部２５から取得した重量、即ち退場時の重量とが所定の関係を満たすか判断するため、これらの重量の差を求め、その差が、図１４に示すような、予め設定された許容範囲内に含まれるか否かを調べる。この許容範囲は、例えば、測定器の誤差や、入場者の区域１００内における発汗や、水分の補給による体重の変化等を予め考慮して設定する。また、重量差がプラスである場合の重量の許容範囲と、マイナスである場合の重量の許容範囲を、同じ値としても、異なる値としてもよい。そして、重量差が許容範囲内である場合、判断部２６は、重量蓄積部２４から取得した重量と、第二重量取得部２５から取得した重量とが所定の関係を満たすと判断し、この判断結果に基づいて、制御部２７が、ドア開閉装置２０４に対し、退場を許可する指示を出す。
【００７７】
制御部２７が退場を許可する指示をドア開閉装置２０４に出力した場合、重量管理装置２０３の表示部には、図１２（ｂ）に示すように、「退場可能です。」という文が、青色の文字で表示される。
【００７８】
ドア開閉装置２０４の指示取得部２８がこの退場を許可する指示を受けると、ドア制御部２９がドア１０２を開く制御を行い、ドア１０２がこの制御に基づいて開錠し、自動的に開く。
【００７９】
重量蓄積部２４から取得した重量と、第二重量取得部２５から取得した重量との差が、許容範囲外である場合、制御部２７が、警報装置２０５に対し、警報についての情報である警報情報を出力する指示を出す。また、制御部２７が、監視カメラ２０６に対し作動する指示を出す。
【００８０】
このとき、重量蓄積部２４から取得した重量が、第二重量取得部２５から取得した重量よりも大きければ、重量管理装置２０３の表示部には、図１２（ｃ）に示すように、「退場時の重量が軽くなっています！！」という警告文が、赤色の文字で表示される。また、重量蓄積部２４から取得した重量が、第二重量取得部２５から取得した重量よりも小さければ、重量管理装置２０３の表示部には、図１２（ｄ）に示すように、「退場時の重量が重くなっています！！」という警告文が、赤色の文字で表示される。
【００８１】
警報装置２０５の出力指示受付部３２が警報情報を出力する指示を受け付けると、この出力指示を取得して警報出力部３３が警報情報を出力する。この警報出力部３３が警報音を出力するデバイスを含んでいる場合、警報情報としてブザー音等の警報音を鳴らして、
不適格な退場が行われたことを区域１００の外部に知らせる。
【００８２】
監視カメラ２０６の作動指示受付部３４が作動する指示を受け付けると、この出力指示を取得して撮影部３５が作動を開始して映像撮影を開始する。この撮影した映像情報を外部のディスプレイ等の表示装置で表示することにより、不適格な退場が行われたことを確認することが可能となる。
【００８３】
退場者が入場時に持ち込んだ荷物を、区域１００内に放置して退場する場合、あるいは予め区域１００内に備えられていた物品等を持ち帰る場合、そのまま退場すると、入場時に第一重量測定器２０１で測定した重量に対し、退場時に第二重量測定器２０２で測定した重量が、放置する荷物分だけ軽く、あるいは持ち帰る荷物分だけ重くなる。この結果、荷物の重さによっては、入場時と退場時の重量の差が、図１４に示したような許容範囲内に入らなくなることがある。このため、退場者は、放置する荷物、及び持ち帰る荷物の重さ、即ち入場時に対して増減する重量についての情報を増減情報として増減情報受付部３０に入力する。この増減情報受付部３０が受け付けた増減情報に基づき、判断部２６は、入場時に第一重量測定器２０１で測定した重量の補正を行う。例えば、放置する荷物の重量を、第一重量測定器２０１で測定した重量から減算する。また、持ち帰る荷物の重量を、第一重量測定器２０１で測定した重量に加算する。そして、判断部２６は、この第一重量測定器２０１で測定した重量を補正して得られた重量と、退場時に第二重量測定器２０２で測定した重量との差が、許容範囲内にあるか否かを判定して、入場時の重量と、退場時の重量とが所定の関係を満たすか判断する。
【００８４】
なお、放置あるいは持ち帰る荷物についての持ち主や所在等が明確となるように、増減情報受付部３０が受け付けた増減情報は、例えば図１３に示すように、「荷物放置」、「荷物持出し」の属性の値として、個人特定情報と関連付けてメモリ等に蓄積される。
【００８５】
また、退場者が、トイレに行く場合や、外部からの急な呼び出しがあった場合など、持ち込んだ荷物等をそのままにして、一時的に区域１００から退場する際には、強制指示受付部３１に、退場者が強制的にドアを開くための強制指示を入力するようにする。強制指示受付部３１が強制指示を受け付けると、制御部２７がドア開閉装置２０４に退場を許可する指示を出力することにより、退場が可能となる。このとき、重量管理装置２０３の表示部には、図１２（ｅ）に示すように、「一時退場可能です。」という文が、青色の文字で表示される。
【００８６】
以上、本実施の形態によれば、入場時に測定された重量と、退場時に測定された重量とが所定の関係を満たす場合にのみ、退場が可能となるようにしている。これにより、一つの認証情報を用いて複数の人間が同時に入場し、そのうちの一部の人間のみが退場したりするといった不正な入退場を防ぐことができる。
【００８７】
また、退場者が、入場前から区域内に備えられていた物品等を、無断で持ち出そうとしたり、入場時に区域内に持ち込んだ物品等を、無断で放置して退場しようとした場合には、その物品の重量分だけ、退場時に測定した重量と、入場時に測定した重量とに、差が生じる。本実施の形態によれば、退場時に測定した重量と、入場時に測定した重量との差が許容範囲を超えた場合に、区域から退場できなくすることにより、区域内の物品の無断持ち出しや、区域内への物品の無断放置を防止できる。
【００８８】
また、本実施の形態によれば、退場者について、入場時に測定された重量と退場時に測定された重量とが所定の関係を満たすか否かで、入退場の管理を行っている。このため、入場前に予め入場者の体重を登録しておく必要がないため、入場者の体重の変化に応じて登録された重量を更新する必要がなく、更新処理に費やされる時間や労力を削減すること
ができる。
【００８９】
また、本実施の形態によれば、入場時に荷物を持ち込む際には、入場者が荷物を保持した状態で重量を測定し、退場時には同じ荷物を保持した状態で重量を測定することで、持ち込む荷物も含めた入退場時の重量が所定の関係を満たすか判断して、入退場の管理を行っている。このため、荷物の重量によらず、荷物の持込みを可能とすることができる。
【００９０】
さらに、本実施の形態によれば、入場者及び退場者の認証情報から得た個人特定情報を用いて、その退場者が入場時に測定した重量を取得し、この取得した重量が、退場時に測定した重量と所定の関係を満たすか判断することができるため、区域内に複数の人がいる場合においても、入退場を管理することができる。
【００９１】
なお、本実施の形態においては、本人認証データ読取装置２０７及び本人認証装置２０８を用いて、入退場者の認証を行うようにしたが、本発明においては、例えば、区域１００内への入場者が一人に限られている場合などにおいて、入退場者の認証が不要であれば、認証のための装置等を設けないようにしてもよい。
【００９２】
（実施の形態２）
図１５は、本発明の実施の形態２に係る入退場管理システムのハードウェア構成を示す図であり、図において、図１と同一符号は同一または相当する部分を示している。
【００９３】
本実施の形態に係る入退場管理システムは、第一重量測定器２０１、第二重量測定器２０２、重量管理装置２０３、ドア開閉装置２０４、警報装置２０５、監視カメラ２０６、第一本人認証データ読取装置２０７ａ，第二本人認証データ読取装置２０７ｂ、第一本人認証装置２０８ａ，及び第二本人認証装置２０８ｂを有している。
第一本人認証データ読取装置２０７ａ及び第一本人認証装置２０８ａは、入退場管理室１０１の外側の、ドア１０２付近に配置されている。
第二本人認証データ読取装置２０７ｂ及び第二本人認証装置２０８ｂは、入退場管理室１０１の外側の、ドア１０３付近に配置されている。
図１６は本発明の実施の形態１に係る入退場管理システムのブロック図であり、図において図２と同一符号は同一または相当する部分を示している。
【００９４】
この入退場管理システムは、第一重量測定器２０１、第２重量測定器２０２、重量管理装置２０３、ドア開閉装置２０４、警報装置２０５、監視カメラ２０６、第一本人認証データ読取装置２０７ａ，第二本人認証データ読取装置２０７ｂ、第一本人認証装置２０８ａ，及び第二本人認証装置２０８ｂを有している。
【００９５】
第一重量測定器２０１、第２重量測定器２０２、ドア開閉装置２０４、警報装置２０５、及び監視カメラ２０６の構成および動作については、前記実施の形態１の入退場管理システムと同様であるので、ここでは説明を省略する。
【００９６】
第一本人認証データ読取装置２０７ａは、第一認証情報受付部３６ａと、第一認証情報送信部３７ａとを有しており、これらは、それぞれ前記実施の形態１の認証情報受付部３６と認証情報送信部３７と同様の構成を有している。ただし、第一認証情報受付部３６ａは、受け付ける認証情報が、入場者から入力される、入場者の認証のための情報である。
【００９７】
第一本人認証装置２０８ａは、第一認証情報受信部３８ａと、第一認証部３９ａと、第一個人特定情報送信部４０ａとを有しており、これらは、それぞれ前記実施の形態１の認証情報受信部３８と、認証部３９と、個人特定情報送信部４０と同様の構成を有している。ただし、第一認証情報受信部３８ａは、認証情報を第一本人認証データ読取装置２０７
ａから受信する。また、第一個人特定情報送信部４０ａは、個人特定情報を重量管理装置２０３の第一個人特定情報受信部４１に送信する。
【００９８】
第二本人認証データ読取装置２０７ｂは、第二認証情報受付部３６ｂと、第二認証情報送信部３７ｂとを有しており、これらは、それぞれ前記実施の形態１の認証情報受付部３６と認証情報送信部３７と同様の構成を有している。ただし、第二認証情報受付部３６ｂは、受け付ける認証情報が、退場者から入力される、退場者の認証のための情報である。
【００９９】
なお、同一の入場者及び退場者に与えられた、入場者の認証のための認証情報と退場者の認証のための認証情報は、同一の個人特定情報を含んでいるものであれば、同一であってもなくてもよい。
【０１００】
第二本人認証装置２０８ｂは、第二認証情報受信部３８ｂと、第二認証部３９ｂと、第二個人特定情報送信部４０ｂとを有しており、これらは、それぞれ前記実施の形態１の認証情報受信部３８と、認証部３９と、個人特定情報送信部４０と同様の構成を有している。ただし、第二認証情報受信部３８ｂは、認証情報を第二本人認証データ読取装置２０７ｂから受信する。また、第二個人特定情報送信部４０ｂは、個人特定情報を重量管理装置２０３の第二個人特定情報受信部４２に送信する。
【０１０１】
第一本人認証データ読取装置２０７ａ，第二本人認証データ読取装置２０７ｂ、第一本人認証装置２０８ａ，及び第二本人認証装置２０８ｂの動作については、入出力する情報が異なる点を除けば、前記実施の形態１の本人認証データ読取装置２０７及び本人認証装置２０８と同様であるので、説明は省略する。
【０１０２】
重量管理装置２０３の構成は、第一個人特定情報受信部４１が第一本人認証装置２０８ａから送信される個人特定情報を受信し、第二個人特定情報受信部４２が第二本人認証装置２０８ｂから送信される個人特定情報を受信する点を除けば、前記実施の形態１の入退場管理システムと同様であるので、ここでは説明を省略する。
【０１０３】
次に、重量管理装置２０３の動作について、図１７のフローチャートを用いて説明する。
（ステップＳ１７０１）第一個人特定情報受信部４１が、第一本人認証装置２０８ａから個人特定情報を受信したか否かを判定する。個人特定情報を受信した場合、ステップＳ１７０２へ進み、受信していない場合、ステップＳ１７０６へ進む。
【０１０４】
（ステップＳ１７０２）第一重量取得部２３は、第一重量測定部２１が重量の測定結果を出力したか否かを判定する。測定結果が出力された場合、ステップＳ１７０３へ進み、出力されていない場合、ステップＳ１７０２へ戻る。
（ステップＳ１７０３）重量蓄積部２４が、第一重量測定部２１の測定結果である重量を取得する。
【０１０５】
（ステップＳ１７０４）重量蓄積部２４は、第一個人特定情報受信部４１から個人特定情報を取得し、ステップＳ１７０３において取得した重量と、第一個人特定情報受信部４１が受信した個人特定情報とを対にして、メモリ等に蓄積する。
（ステップＳ１７０５）制御部２７は、入場を許可する指示を、ドア開閉装置２０４に出力し、ステップＳ１７０１に戻る。
【０１０６】
（ステップＳ１７０６）第二個人特定情報受信部４２が、第二本人認証装置２０８ｂから個人特定情報を受信したか否かを判定する。個人特定情報を受信した場合、ステップＳ１７０７へ進み、受信していない場合、ステップＳ１７０１へ戻る。
【０１０７】
（ステップＳ１７０７）強制指示受付部３１は、強制的に退場のためのドアを開く指示である強制指示を受け付けたか否かを判定する。強制指示を受け付けた場合、ステップＳ１７１６へ飛び、強制指示を受け付けていない場合、ステップＳ１７０８へ進む。
【０１０８】
（ステップＳ１７０８）第二重量取得部２５は、第二重量測定部２２が重量の測定結果を出力したか否かを判定する。測定結果が出力された場合、ステップＳ１７０９へ進み、されていない場合、ステップＳ１７０８へ戻る。
【０１０９】
（ステップＳ１７０９）第二重量取得部２５が、第二重量測定部２２の測定結果である重量と、第二個人特定情報受信部４２が受信した個人特定情報を取得する。
【０１１０】
（ステップＳ１７１０）判断部２６が、重量蓄積部２４に蓄積されている個人特定情報のうちの、第二重量取得部２５の取得した個人特定情報に対応した個人特定情報を検索し、検索された個人特定情報と対に蓄積されている重量を、重量蓄積部２４から取得する。また、第二重量取得部２５が取得した重量を取得する。
【０１１１】
（ステップＳ１７１１）増減情報受付部３０が、増減情報を受け付けたか否かを判定する。重量増減情報を受け付けた場合、ステップＳ１７１２へ進み、受け付けていない場合、ステップＳ１７１３へ進む。
【０１１２】
（ステップＳ１７１２）判断部２６は、増減情報受付部３０が受け付けた増減情報を用いて、重量蓄積部２４から取得した重量、または第二重量取得部２５から取得した重量を補正する。
【０１１３】
（ステップＳ１７１３）判断部２６が、重量蓄積部２４から取得した重量、及び第二重量取得部２５から取得した重量を比較し、これらが所定の関係を満たすか否か判断する。ステップＳ１７１２において、これらの重量のいずれかが補正されている場合は、その補正した重量により比較を行う。この判断の結果、これらの重量同士が所定の関係を満たすと判断された場合、ステップＳ１７１６へ進む。また、所定の関係を満たさないと判断された場合、ステップＳ１７１４へ進む。所定の関係を満たすか否かの判断は、例えば、重量同士の差が、予め設定された許容範囲内に収まるか否かで判断される。
（ステップＳ１７１６）制御部２７が、退場を許可する指示を、ドア開閉装置２０４に出力する。
（ステップＳ１７１４）制御部２７が、警報装置２０５に対し、警報についての情報である警報情報を出力する指示を出す。
【０１１４】
（ステップＳ１７１５）制御部２７が、監視カメラ２０６に作動する指示を出す。なお、ステップＳ１７１４の前にステップＳ１７１５を行うようにしてもよい。
【０１１５】
次に本実施の形態に係る入退場管理システムの動作を、図１５及び図１６を用いて具体的に説明する。
まず、入場者が入場する場合について説明する。入場者が、入場者の認証のための認証情報が記録されているＩＣカードを第一本人認証データ読取装置２０７ａの第一認証情報受付部３６ａ、例えばＩＣカードリーダに読み取らせる。読み取られた認証情報は、第一認証情報送信部３７ａから第一本人認証装置２０８ａに送信される。
【０１１６】
送信された認証情報が、本人認証装置２０８ａの認証情報受信部３８ａに受信され、受信された認証情報により、認証部３９ａにおいて、入場者が、区域１００に対する入場資格を有する本人であるか否かの認証が行われる。認証された場合、認証情報の一部である
個人特定情報を個人特定情報送信部４０ａが取得し、重量管理装置２０３の第一個人特定情報受信部４１に対して送信する。
【０１１７】
続いて、入場者がドア１０２を開けて、入退場管理室１０１に入室し、第一重量測定器２０１により、入場者の重量の測定を行う。この際、荷物を保持している場合、この荷物とともに重量を測定する。
【０１１８】
第一個人特定情報受信部４１は、第一個人特定情報送信部４０ａから送信された個人特定情報を受信したか否か判定する。ここでは受信しているため、重量管理装置２０３の第一重量取得部２３は、第一重量測定部２１により入場者の重量が測定されているか判定する。ここでは重量が測定されているため、第一重量測定部２１による測定結果である重量を取得する。重量蓄積部２４は、第一個人特定情報受信部４１が受信した個人特定情報を取得し、また、第一重量取得部２３から第一重量測定器２０１の測定結果である重量を取得し、この取得した個人特定情報と、重量とを対にしてメモリ等に蓄積する。そして、制御部２７が入場を許可する指示をドア開閉装置２０４に出力する。
【０１１９】
ドア開閉装置２０４の指示取得部２８が、制御部２７からの入場を許可する指示を取得すると、ドア制御部２９は、ドア１０３を開くための制御を行う。ドア１０３はこの制御により開錠して自動で開き、入場者は区域１０１内へ入場可能となる。
【０１２０】
次に、退場する場合について説明する。退場者が、退場者の認証のための認証情報が記録されているＩＣカードを第二本人認証データ読取装置２０７ｂの第二認証情報受付部３６ｂ、例えばＩＣカードリーダに読み取らせる。読み取られた認証情報は、第二認証情報送信部３７ｂから第二本人認証装置２０８ｂに送信される。
【０１２１】
送信された認証情報が、第二本人認証装置２０８ｂの第二認証情報受信部３８ｂに受信され、受信された認証情報により、第二認証部３９ｂにおいて、入場者が、区域１００に対する入場資格を有する本人であるか否かの認証が行われる。認証された場合、認証情報の一部である個人特定情報を第二個人特定情報送信部４０ｂが取得し、重量管理装置２０３の第二個人特定情報受信部４２に対して送信する。第二個人特定情報受信部４２は、第二個人特定情報送信部４０ｂが送信した個人特定情報を受信する。ここでは、第一個人特定情報受信部４１が個人特定情報を受信していないため、第二個人特定情報受信部４２は個人特定情報を受信したことを判定する。
【０１２２】
続いて、退場者がドア１０２を開けて、入退場管理室１０１に入室し、第二重量測定器２０２により、退場者の重量の測定を行う。この際、入場時に荷物を保持していた場合、この荷物とともに重量を測定する。
【０１２３】
第二重量取得部２５は、第二重量測定器２０２が退場者についての重量を測定したか否かを判定する。ここでは重量を測定しているため、第二重量取得部２５は、第二重量測定器２０２が測定した重量を取得し、第二個人特定情報受信部４２から個人特定情報を取得する。
【０１２４】
判断部２６は、第二重量取得部２５から、第二重量測定器２０２の測定結果である重量と、個人特定情報とを受信し、この個人特定情報と同じ個人特定情報を、重量蓄積部２４のメモリ等に蓄積されている個人特定情報の中から検索する。そして、検索の結果得られた個人特定情報と対に重量蓄積部２４のメモリ等に蓄積されている重量を取得する。
【０１２５】
判断部２６は、重量蓄積部２４から取得した重量、第二重量取得部２５から取得した重量の差を求め、その差が、予め設定された許容範囲内に含まれるか否かを調べる。そして
、重量差が許容範囲内である場合、制御部２７が、ドア開閉装置２０４に対し、退場を許可する指示を出す。
【０１２６】
ドア開閉装置２０４の指示取得部２８がこの退場を許可する指示を受けると、ドア制御部２９がドア１０２を開く制御を行い、ドア１０２がこの制御に基づいて開錠し、自動的に開く。
【０１２７】
重量蓄積部２４から取得した重量と、第二重量取得部２５から取得した重量との差が、許容範囲外である場合、制御部２７が、警報装置２０５に対し、警報についての情報である警報情報を出力する指示を出す。また、制御部２７が、監視カメラ２０６に対し作動する指示を出す。
【０１２８】
なお、退場者が入場時に持ち込んだ荷物を、区域１００内に放置して退場する場合、あるいは予め区域１００内に備えられていた物品等を持ち帰る場合の動作、及び退場者が一時的に区域１００から退場する場合の動作の具体的な説明については、前記実施の形態１と同様であるため、ここでは説明を省略する。
【０１２９】
以上、本実施の形態によれば、前記実施の形態１と同様の効果を奏するとともに、第一本人認証データ読取装置２０７ａ，第二本人認証データ読取装置２０７ｂ、第一本人認証装置２０８ａ，及び第二本人認証装置２０８ｂを設けているため、入場者に対する認証情報の受付や認証の処理等と、退場者に対する認証情報の受付や認証の処理等を、個人特定情報の出力とを個別に異なる場所で行うことが可能となる。これにより、入退場管理システムを設置する上での設計の自由度を向上させることが可能となる。例えば、区域１００に入退場管理室を設ける代わりに、入場専用のドアを持つ入場管理室と退場専用のドアを持つ退場管理室を個別に設け、入場管理室には第一本人認証データ読取装置２０７ａ，第一本人認証装置２０８ａ、第一重量測定器２０１を設けて区域１００への入場のみを管理し、退場管理室には第二本人認証データ読取装置２０７ｂ，第二本人認証装置２０８ｂ、第二重量測定器２０２を設けて区域１００への退場のみを管理するようにすることも可能となる。
【０１３０】
なお、本実施の形態においては、第一重量測定器２０１及び第二重量測定器２０２が同一のハードウェアを共用するようにし、入場者についての重量を測定する際は、第一重量測定器２０１として動作し、退場者についての重量を測定する際は、第二重量測定器２０２として動作するようにしてもよい。例えば、第一本人認証装置２０８ａが入場者に関する個人特定情報を出力した場合に第一重量測定器２０１として動作し、第二本人認証装置２０８ｂが退場者に関する個人特定情報を出力した場合に第二重量測定器２０２として動作するようにしてもよい。
【０１３１】
なお、前記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、前記各実施の形態における重量管理装置を実現するソフトウェアは、以下のようなプログラムである。つまり、このプログラムは、コンピュータに、入場者についての重量を取得するステップと、前記取得された入場者についての重量を蓄積するステップと、退場者についての重量を取得するステップと、前記蓄積された入場者についての重量と、前記取得された退場者についての重量が所定の関係を満たすか否かを判断するステップと、前記蓄積された入場者についての重量と、前記取得された退場者についての重量が所定の関係を満たすとの判断の場合のみ、退場の許可を指示するステップとを実行させるためのプログラムである。
【０１３２】
また、前記各実施の形態における重量管理装置を実現するソフトウェアは、コンピュータに、入場者についての個人特定情報を取得するステップと、入場者についての重量を取得するステップと、前記取得された入場者についての重量と入場者についての個人特定情報とを対にして蓄積するステップと、退場者についての個人特定情報を取得するステップと、退場者についての重量を取得するステップと、前記取得された退場者についての個人特定情報に対応した、前記入場者についての個人特定情報と、対にして蓄積された前記入場者についての重量を取得し、当該取得した入場者についての重量と前記取得された退場者についての重量が所定の関係を満たすか否かを判断するステップと、前記蓄積された入場者についての重量と、前記取得された退場者についての重量が所定の関係を満たすとの判断の場合のみ、退場の許可を指示するステップとを実行させるためのプログラムである。
【０１３３】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理は含まれない。
本発明は、以上の各実施の形態に限定されることなく、種々の変更が可能であり、それらも本発明の範囲内に包含されるものであることは言うまでもない。
【産業上の利用可能性】
【０１３４】
本発明は、機密性の担保が要求される建物や部屋等の区域への入場者及び退場者の入退場を管理するための入退場管理システム等として適しており、特に、入場者や退場者の重量に基づいて、入場者及び退場者の入退場の管理を行うシステム等として有用である。
【図面の簡単な説明】
【０１３５】
【図１】実施の形態１に係る入退場管理システムのハードウェア構成図
【図２】実施の形態１に係る入退場管理システムの構成を示すブロック図
【図３】実施の形態１に係る入退場管理システムの第一重量測定器の動作を説明するためのフローチャート
【図４】実施の形態１に係る入退場管理システムの第二重量測定器の動作を説明するためのフローチャート
【図５】実施の形態１に係る入退場システムの本人認証データ読取装置の動作を説明するためのフローチャート
【図６】実施の形態１に係る入退場システムの本人認証装置の動作を説明するためのフローチャート
【図７】実施の形態１に係る入退場システムの重量管理装置の動作を説明するためのフローチャート
【図８】実施の形態１に係る入退場システムのドア開閉装置の動作を説明するためのフローチャート
【図９】実施の形態１に係る入退場システムの警報装置の動作を説明するためのフローチャート
【図１０】実施の形態１に係る入退場システムの監視カメラの動作を説明するためのフローチャート
【図１１】実施の形態１における、個人特定情報のデータ構造を例示した図
【図１２】（ａ）実施の形態１に係る重量管理装置の表示例を示す図、（ｂ）同重量管理装置の表示例を示す図、（ｃ）同重量管理装置の表示例を示す図、（ｄ）同重量管理装置の表示例を示す図、（ｅ）同重量管理装置の表示例を示す図
【図１３】実施の形態１における、重量蓄積部により蓄積されたデータ構造を例示した図
【図１４】実施の形態１における、入場時と退場時との重量差の許容範囲を設定するデータの構造を例示した図
【図１５】実施の形態２に係る入退場管理システムのハードウェア構成図
【図１６】実施の形態２に係る入退場管理システムの構成を示すブロック図
【図１７】実施の形態２に係る入退場システムの重量管理装置の動作を説明するためのフローチャート
【符号の説明】
【０１３６】
２１  第一重量測定部
２２  第二重量測定部
２３  第一重量取得部
２４  重量蓄積部
２５  第二重量取得部
２６  判断部
２７  制御部
２８  指示取得部
２９  ドア制御部
３０  増減情報受付部
３１  強制指示受付部
３２  出力指示受付部
３３  警報出力部
３４  作動指示受付部
３５  撮影部
３６，３６ａ，３６ｂ  認証情報受付部
３７，３７ａ，３７ｂ  認証情報送信部
３８，３８ａ，３８ｂ  認証情報受信部
３９，３９ａ，３９ｂ  認証部
４０，４０ａ，４０ｂ  個人特定情報送信部
４１  第一個人特定情報受信部
４２  第二個人特定情報受信部
２０１  第一重量測定器
２０２  第二重量測定器
２０３  重量管理装置
２０４  ドア開閉装置
２０５  警報装置
２０６  監視カメラ
２０７  本人認証データ読取装置
２０７ａ  第一本人認証データ読取装置
２０７ｂ  第二本人認証データ読取装置
２０８  本人認証装置
２０８ａ  第一本人認証装置
２０８ｂ  第二本人認証装置
【図１】
2006252396.tif 000003
【図２】
2006252396.tif 000004
【図３】
2006252396.tif 000005
【図４】
2006252396.tif 000006
【図５】
2006252396.tif 000007
【図６】
2006252396.tif 000008
【図７】
2006252396.tif 000009
【図８】
2006252396.tif 000010
【図９】
2006252396.tif 000011
【図１０】
2006252396.tif 000012
【図１１】
2006252396.tif 000013
【図１２】
2006252396.tif 000014
【図１３】
2006252396.tif 000015
【図１４】
2006252396.tif 000016
【図１５】
2006252396.tif 000017
【図１６】
2006252396.tif 000018
【図１７】
2006252396.tif 000019